(57)【特許請求の範囲】
【請求項１】
リン酸モノドデシルナトリウムと、
イオン性界面活性剤とは異なるアルカリ金属塩とを含み、
前記アルカリ金属塩がギ酸塩である、
界面活性剤組成物。
【請求項２】
リン酸モノドデシルナトリウムと前記アルカリ金属塩とを含む溶液である、請求項１に記載の界面活性剤組成物。
【請求項３】
ｐＨ緩衝剤をさらに含む、請求項２に記載の界面活性剤組成物。
【発明の詳細な説明】
【技術分野】
【０００１】
本発明は、界面活性剤組成物、特に、陰イオン界面活性剤を含む組成物に関する。
【背景技術】
【０００２】
医療機関、食品工場および製薬工場等では、従事する作業者の手指等の身体および各種器具や機器の衛生を保つため、洗浄時において、汚れを除去するとともに殺菌が求められる。このため、殺菌性を有する洗浄剤の開発が進められている。
【０００３】
殺菌性を有する洗浄剤として、特許文献１には、石鹸よりも低刺激性の界面活性剤、緩衝剤および抗菌剤を含む抗菌性液体洗浄組成物が記載されている。しかし、ここで用いられる抗菌剤は、２−ヒドロキシ−４，２’，４’−トリクロロジフェニルエーテルや２，６−ジメチル−４−ヒドロキシクロロベンゼン等といった高価なものであることから、組成物の価格を高めることになる。また、このような抗菌剤は、多量に入手するのが困難であることから、上記組成物は量産が困難である。
【先行技術文献】
【特許文献】
【０００４】
【特許文献１】特表平１０−５００９６２号公報（特許請求の範囲、３頁４〜１３行および１２頁１１行〜１３頁１８行等）
【発明の概要】
【発明が解決しようとする課題】
【０００５】
本発明の目的は、殺菌性を有する、安価で量産可能な界面活性剤組成物を実現することにある。
【課題を解決するための手段】
【０００６】
本発明の界面活性剤組成物は、リン酸モノドデシルナトリウムと、イオン性界面活性剤とは異なるアルカリ金属塩とを含むものである。
【０００７】
ここで用いられるアルカリ金属塩は、ギ酸塩である。
【０００８】
本発明の界面活性剤組成物は、通常、陰イオン界面活性剤とアルカリ金属塩とを含む溶液である。この場合、本発明の界面活性剤組成物は、ｐＨ緩衝剤をさらに含んでいてもよい。
【発明の効果】
【０００９】
本発明の界面活性剤組成物は、炭素数が１０〜２０の高級脂肪酸塩を除く陰イオン界面活性剤に対してイオン性界面活性剤とは異なるアルカリ金属塩を組み合わせたものであるため、実用的な殺菌性を有し、しかも安価で量産可能である。
【図面の簡単な説明】
【００１０】
【図１】実験例Ａ１〜Ａ７についての菌数の対数減少値を示す図。
【図２】実験例Ｂ１〜Ｂ５についての菌数の対数減少値を示す図。
【図３】実験例Ｃ１〜Ｃ７についての菌数の対数減少値を示す図。
【図４】実験例Ｄ１〜Ｄ５についての菌数の対数減少値を示す図。
【図５】実験例Ｅ１〜Ｅ９についての菌数の対数減少値を示す図。
【発明を実施するための形態】
【００１１】
本発明の界面活性剤組成物は、陰イオン界面活性剤とアルカリ金属塩とを含む。ここで用いられる陰イオン界面活性剤は、炭素数が１０〜２０の高級脂肪酸塩以外のものであれば特に限定されるものではないが、通常、カルボン酸塩、スルホン酸塩、硫酸エステル塩またはリン酸エステル塩の形態のものである。このような陰イオン界面活性剤は、それぞれが単独で用いられてもよいし、２種以上のものが併用されてもよい。
【００１２】
カルボン酸型の陰イオン界面活性剤としては、例えば、ポリオキシエチレンアルキルエーテルカルボン酸塩およびＮ―アシルサルコシン塩を挙げることができる。
【００１３】
スルホン酸塩型の陰イオン界面活性剤としては、例えば、ジアルキルスルホコハク酸塩、アルカンスルホン酸塩、アルファオレフィンスルホン酸塩、直鎖アルキルベンゼンスルホン酸塩、分岐アルキルベンゼンスルホン酸塩、ナフタレンスルホン酸塩−ホルムアルデヒド縮合物、アルキルナフタレンスルホン酸塩およびＮ−メチル−Ｎ−アシルタウリン塩を挙げることができる。
【００１４】
硫酸エステル塩型の陰イオン界面活性剤としては、例えば、アルキル硫酸エステル塩、ポリオキシエチレンアルキルエーテル硫酸塩および油脂硫酸エステル塩を挙げることができる。
【００１５】
リン酸エステル塩型の陰イオン界面活性剤としては、例えば、アルキルリン酸塩、ポリオキシエチレンアルキルエーテルリン酸塩およびポリオキシエチレンアルキルフェニルエーテルリン酸塩を挙げることができる。
【００１６】
上述のようなカルボン酸塩、スルホン酸塩、硫酸エステル塩およびリン酸エステル塩は、通常、カリウム塩やナトリウム塩等のアルカリ金属塩が好ましい。
【００１７】
一方、本発明で用いられるアルカリ金属塩は、水中等で解離することにより陰イオン界面活性剤に対して対イオンとなる陽イオン、すなわち、カリウムイオンやナトリウムイオン等のアルカリ金属イオンを生成可能なものであり、イオン性界面活性剤、すなわち、陽イオン界面活性剤および陰イオン界面活性剤ではないものである。好ましいアルカリ金属塩としては、本発明の界面活性剤組成物において実用的な殺菌性を実現しやすいことから、例えば、塩化カリウムや塩化ナトリウム等の塩化物塩、炭酸カリウムや炭酸ナトリウム等の炭酸塩、炭酸水素カリウムや炭酸水素ナトリウム等の炭酸水素塩、水酸化カリウムや水酸化ナトリウム等の水酸化物塩、硝酸カリウムや硝酸ナトリウム等の硝酸塩、硫酸カリウムや硫酸ナトリウム等の硫酸塩、リン酸水素カリウムやリン酸水素ナトリウム等のリン酸水素塩、リン酸二水素カリウムやリン酸二水素ナトリウム等のリン酸二水素塩、ギ酸カリウムやギ酸ナトリウム等のギ酸塩、および、酢酸カリウムや酢酸ナトリウム等の酢酸塩を挙げることができる。
【００１８】
アルカリ金属塩は、それぞれが単独で用いられてもよいし、２種以上のものが併用されてもよい。
【００１９】
本発明の界面活性剤組成物において、陰イオン界面活性剤に対するアルカリ金属塩の含有割合は、通常、０．０５〜１００重量倍になるよう設定するのが好ましく、０．１〜６０重量倍になるよう設定するのがより好ましい。アルカリ金属塩の含有割合が０．０５重量倍未満の場合は、界面活性剤組成物の殺菌効果が高まりにくい可能性がある。逆に、１００重量倍を超える場合は、後述する界面活性剤組成物の用途に応じた陰イオン界面活性剤の作用を阻害してしまう可能性がある。
【００２０】
本発明の界面活性剤組成物は、陰イオン界面活性剤に対して汎用的で入手が容易なアルカリ金属塩を組合せたものであることから、安価に提供することができ、量産も容易である。なお、本発明の界面活性剤組成物は、後述する用途に応じて、上述の陰イオン界面活性剤およびアルカリ金属塩以外の成分、例えば、香料、色材、保湿剤、坑酸化剤、酸化防止剤および金属イオン封鎖剤等の添加剤をさらに含んでいてもよい。
【００２１】
本発明の界面活性剤組成物は、陰イオン界面活性剤を含むものであることから、人間の手指等の身体、犬や馬等の動物の身体や体毛、衣類、寝具、食器類や調理器具等の台所用品および各種の医療器具を洗浄するための洗浄剤として、或いは、居室、浴室、トイレおよび洗面室等の生活空間や手術室等の壁面や床面を洗浄するための洗浄剤として用いることができ、また、各種の合成樹脂の乳濁液を調製するための乳化剤や樹脂成形品等の帯電し易い製品の帯電防止剤として用いることもできる。
【００２２】
これらの用途において、本発明の界面活性剤組成物は、陰イオン界面活性剤自体が有する殺菌力がアルカリ金属塩の作用により高まることから、細菌に対する実用的な殺菌力を発揮し得、また、真菌および酵母等の菌類の増殖も効果的に抑制することができる。このため、本発明の界面活性剤組成物は、洗浄剤として用いられる場合、被洗浄物を洗浄すると同時に殺菌処理することができる。また、乳化剤として用いられる場合、調製された乳濁液に対し、雑菌や菌類が繁殖、増殖するのを抑制する抗菌作用を付与することができる。さらに、帯電防止剤として用いられる場合、樹脂成形品等の被処理物に対し、雑菌や菌類が繁殖、増殖するのを抑制する抗菌作用を同時に付与することができる。
【００２３】
上述の用途において、本発明の界面活性剤組成物は、陰イオン界面活性剤、アルカリ金属塩およびその他の成分の混合物状のものを溶媒に溶解した溶液状のものとして用いることができる。ここで用いられる溶媒としては、例えば、水道水並びに純水、蒸留水およびイオン交換水等の精製水のような水の他に、エタノール、エチレングリコールおよびグリセリン等のアルコール類、アセトン、ヘキサン並びにキシレン等の有機溶媒を挙げることができる。溶媒は、２種以上のものが併用されてもよい。溶媒は、界面活性剤組成物の用途に応じて選択することができる。例えば、界面活性剤組成物を洗浄剤、特に身体や体毛の洗浄剤として用いる場合、水や水と生体に対して安全な有機溶媒（例えば、安全なアルコール類等）との混合物を溶媒とするのが特に好ましい。一方、乳化剤や帯電防止剤として用いる場合、その使用方法に応じて水や有機溶媒を選択することができる。
【００２４】
溶液状の界面活性剤組成物は、界面活性剤組成物を使用するときに調製されてもよいし、予め調製されていてもよい。いずれの場合においても、溶液状の界面活性剤組成物は、界面活性剤の溶液を先ず調製し、界面活性剤組成物の用途に応じてこの溶液をｐＨ調製した後にアルカリ金属塩およびその他の成分を添加、溶解することで調製するのが好ましい。
【００２５】
ここで、界面活性剤組成物の用途が洗浄剤の場合、界面活性剤溶液のｐＨは、陰イオン界面活性剤の洗浄力が高まる範囲に設定するのが好ましく、具体的には、４〜１１に設定するのが好ましい。特に、身体の洗浄剤としての使用を予定する場合、界面活性剤溶液のｐＨは、皮膚への刺激を与えにくい５．５〜１０．５の範囲に設定するのが好ましい。一方、用途が乳化剤や帯電防止剤の場合、界面活性剤溶液のｐＨは、界面活性剤組成物の使用目的に応じて任意に設定することができる。
【００２６】
このように界面活性剤組成物の用途に応じてｐＨ調整された界面活性剤溶液は、アルカリ金属塩を添加したときにｐＨが大きく変動し、ｐＨ調整の意義が損なわれることがある。特に、界面活性剤組成物を身体や体毛の洗浄剤として用いる場合、その調製時に界面活性剤溶液のｐＨが大きく変動すると、調製した界面活性剤組成物溶液を洗浄剤として用いるのが困難になることがある。このため、洗浄剤として利用可能な溶液状の界面活性剤組成物を調製する場合、界面活性剤溶液に添加するアルカリ金属塩の種類によっては（例えば、炭酸塩、炭酸水素塩または水酸化物塩を添加する場合）、界面活性剤溶液に対してアルカリ金属塩を添加するときに、ｐＨ緩衝剤を併せて添加することでｐＨの変動を抑制するのが好ましい。
【００２７】
この目的で用いられるｐＨ緩衝剤としては、例えば、グリシン、ホウ酸ナトリウム、炭酸ナトリウム、炭酸水素ナトリウム、酢酸、酢酸ナトリウム、コハク酸、リン酸二水素カリウム、マレイン酸、トリス（ヒドロキシメチル）アミノメタン、カコジル酸ナトリウム、３，３−ジメチルグルタル酸、ＣＨＥＳ（Ｎ−シクロヘキシル−２−アミノエタンスルホン酸）、ＣＡＰＳＯ（Ｎ−シクロヘキシル−２−ヒドロキシ−３−アミノプロパンスルホン酸）およびＣＡＰＳ（Ｎ−シクロヘキシル−３−アミノプロパンスルホン酸）等を挙げることができる。
【００２８】
溶液状の界面活性剤組成物における陰イオン界面活性剤の濃度は、界面活性剤組成物の用途に応じて適宜調整することができ、特に限定されるものではないが、通常は０．０１Ｗ／Ｖ％以上４０Ｗ／Ｖ％以下に設定するのが好ましい。
【００２９】
洗浄剤として本発明の界面活性剤組成物を用いる場合、例えば、溶液状の界面活性剤組成物の適量を被洗浄物または布帛やスポンジ等の洗浄具に対して適用し、水を適宜適用して泡だてながら被洗浄物を洗浄する。この場合、洗浄後の被洗浄物に付着している界面活性剤組成物は、清浄な水で流し落とすのが好ましい。乳化剤として本発明の界面活性剤組成物を用いる場合、その使用方法は特に限定されるものではなく、通常の乳化剤と同様にして本発明の界面活性剤組成物を用いることができる。この場合、本発明の界面活性剤組成物は、水溶液状のものとして用いられてもよいし、有機溶媒に溶解した溶液として用いられてもよい。帯電防止剤として本発明の界面活性剤組成物を用いる場合、帯電しやすい樹脂製品等の処理対象物の表面に対して溶液状の界面活性剤組成物を適宜塗布した後に乾燥する。このため、溶液状の界面活性剤組成物は、揮発性が高くかつ処理対象物を溶解する等の不具合を生じない有機溶媒を用いて調製したものを用いるのが好ましい。
【００３０】
［実験例］
実験例Ａ
（実験例Ａ１）
蒸留水にＮ−ラウロイルサルコシンナトリウムを溶解し、Ｎ−ラウロイルサルコシンナトリウム濃度を０．１ｗ／ｖ％に調整した界面活性剤水溶液を調製した。そして、調製した界面活性剤水溶液の１ｍＬを試料水として分取し、これを３７℃のウォーターバス中でプレインキュベートした。
【００３１】
次に、プレインキュベートした試料水に黄色ブドウ球菌（Staphylococcus aureus NBRC13276）を菌数が１．４Ｅ＋０８ＣＦＵ／ｍＬになるよう添加して１０秒間接触させた後、試料水の一部を１００μＬ分取した。そして、分取した試料水を日本製薬株式会社製のＳＣＤＬＰ培地へ添加して界面活性剤を不活化した後に適宜希釈し、この希釈された試料水について、日本製薬株式会社製のＳＣＤＬＰ寒天培地を用いた塗抹法により３６℃で２４時間経過後の菌数を測定した。菌数の対数減少値を表１および図１に示す。
【００３２】
（実験例Ａ２〜Ａ４）
実験例Ａ１で調製した界面活性剤水溶液の一部を試料水として採取し、この試料水へ表１に示すアルカリ金属塩を同表に示す濃度になるよう添加することで試料水の量を１ｍＬに調整した。そして、この試料水を３７℃のウォーターバス中でプレインキュベートした。
【００３３】
次に、プレインキュベートした試料水について、実験例Ａ１のプレインキュベート後と同様の処理をし、菌数を測定した。菌数の対数減少値を表１および図１に示す。
【００３４】
（実験例Ａ５〜Ａ７）
実験例Ａ１で用いたものと同じ蒸留水を試料水とし、この試料水へ表１に示すアルカリ金属塩のみを同表に示す濃度になるよう添加することで試料水の量を１ｍＬに調整した。そして、この試料水を３７℃のウォーターバス中でプレインキュベートした。
【００３５】
次に、プレインキュベートした試料水について実験例Ａ１のプレインキュベート後と同様の処理をし、菌数を測定した。菌数の対数減少値を表１および図１に示す。
【００３６】
【表１】
0005927803.tif 000002
【００３７】
実験例Ｂ
（実験例Ｂ１，Ｂ２）
蒸留水に表２に示す界面活性剤を溶解し、界面活性剤濃度を０．２ｗ／ｖ％に調整した界面活性剤水溶液を調製した。そして、調製した界面活性剤水溶液の１ｍＬを試料水として分取し、これを３７℃のウォーターバス中でプレインキュベートした。
【００３８】
次に、プレインキュベートした試料水に黄色ブドウ球菌（Staphylococcus aureus NBRC13276）を菌数が１．９Ｅ＋０８ＣＦＵ／ｍＬになるよう添加して１０秒間接触させた後、試料水の一部を１００μＬ分取した。そして、分取した試料水を日本製薬株式会社製のＳＣＤＬＰ培地へ添加して界面活性剤を不活化した後に適宜希釈し、この希釈された試料水について、日本製薬株式会社製のＳＣＤＬＰ寒天培地を用いた塗抹法により３６℃で２４時間経過後の菌数を測定した。菌数の対数減少値を表２および図２に示す。
【００３９】
（実験例Ｂ３，Ｂ４）
実験例Ｂ１，Ｂ２で調製した界面活性剤水溶液の一部を試料水として採取し、この試料水へ表２に示すアルカリ金属塩を同表に示す濃度になるよう添加することで試料水の量を１ｍＬに調整した。そして、この試料水を３７℃のウォーターバス中でプレインキュベートした。
【００４０】
次に、プレインキュベートした試料水について、実験例Ｂ１，Ｂ２のプレインキュベート後と同様の処理をし、菌数を測定した。菌数の対数減少値を表２および図２に示す。
【００４１】
（実験例Ｂ５）
実験例Ｂ１で用いたものと同じ蒸留水を試料水とし、この試料水へ表２に示すアルカリ金属塩のみを同表に示す濃度になるよう添加することで試料水の量を１ｍＬに調整した。そして、この試料水を３７℃のウォーターバス中でプレインキュベートした。
【００４２】
次に、プレインキュベートした試料水について実験例Ｂ１，Ｂ２のプレインキュベート後と同様の処理をし、菌数を測定した。菌数の対数減少値を表２および図２に示す。
【００４３】
【表２】
0005927803.tif 000003
【００４４】
実験例Ｃ
（実験例Ｃ１）
蒸留水にドデシルベンゼンスルホン酸ナトリウムを溶解し、ドデシルベンゼンスルホン酸ナトリウム濃度を０．１ｗ／ｖ％に調整した界面活性剤水溶液を調製した。そして、調製した界面活性剤水溶液の１ｍＬを試料水として分取し、これを３７℃のウォーターバス中でプレインキュベートした。
【００４５】
次に、プレインキュベートした試料水に黄色ブドウ球菌（Staphylococcus aureus NBRC13276）を菌数が２．９Ｅ＋０８ＣＦＵ／ｍＬになるよう添加して１０秒間接触させた後、試料水の一部を１００μＬ分取した。そして、分取した試料水を日本製薬株式会社製のＳＣＤＬＰ培地へ添加して界面活性剤を不活化した後に適宜希釈し、この希釈された試料水について、日本製薬株式会社製のＳＣＤＬＰ寒天培地を用いた塗抹法により３６℃で２４時間経過後の菌数を測定した。菌数の対数減少値を表３および図３に示す。
【００４６】
（実験例Ｃ２〜Ｃ４）
実験例Ｃ１で調製した界面活性剤水溶液の一部を試料水として採取し、この試料水へ表３に示すアルカリ金属塩を同表に示す濃度になるよう添加することで試料水の量を１ｍＬに調整した。そして、この試料水を３７℃のウォーターバス中でプレインキュベートした。なお、実験例Ｃ４については、アルカリ金属塩の添加時にグリシン水溶液を同時に添加することで試料水の量を１ｍＬに調整するとともにグリシン濃度を３０ｍＭに調整し、アルカリ金属塩による界面活性剤水溶液のｐＨ変動を抑えた。
【００４７】
次に、プレインキュベートした試料水について、実験例Ｃ１のプレインキュベート後と同様の処理をし、菌数を測定した。菌数の対数減少値を表３および図３に示す。
【００４８】
（実験例Ｃ５〜Ｃ７）
実験例Ｃ１で用いたものと同じ蒸留水を試料水とし、この試料水へ表３に示すアルカリ金属塩のみを同表に示す濃度になるよう添加することで試料水の量を１ｍＬに調整した。そして、この試料水を３７℃のウォーターバス中でプレインキュベートした。なお、実験例Ｃ７については、アルカリ金属塩の添加時にグリシン水溶液を同時に添加することで試料水の量を１ｍＬに調整するとともにグリシン濃度を３０ｍＭに調整し、アルカリ金属塩による試料水のｐＨ変動を抑えた。
【００４９】
次に、プレインキュベートした試料水について実験例Ｃ１のプレインキュベート後と同様の処理をし、菌数を測定した。菌数の対数減少値を表３および図３に示す。
【００５０】
【表３】
0005927803.tif 000004
【００５１】
実験例Ｄ
（実験例Ｄ１）
蒸留水にドデシル硫酸ナトリウムを溶解し、ドデシル硫酸ナトリウム濃度を０．２ｗ／ｖ％に調整した界面活性剤水溶液を調製した。そして、調製した界面活性剤水溶液の１ｍＬを試料水として分取し、これを３７℃のウォーターバス中でプレインキュベートした。
【００５２】
次に、プレインキュベートした試料水に黄色ブドウ球菌（Staphylococcus aureus NBRC13276）を菌数が２．９Ｅ＋０８ＣＦＵ／ｍＬになるよう添加して１０秒間接触させた後、試料水の一部を１００μＬ分取した。そして、分取した試料水を日本製薬株式会社製のＳＣＤＬＰ培地へ添加して界面活性剤を不活化した後に適宜希釈し、この希釈された試料水について、日本製薬株式会社製のＳＣＤＬＰ寒天培地を用いた塗抹法により３６℃で２４時間経過後の菌数を測定した。菌数の対数減少値を表４および図４に示す。
【００５３】
（実験例Ｄ２，Ｄ３）
実験例Ｄ１で調製した界面活性剤水溶液の一部を試料水として採取し、この試料水へ表４に示すアルカリ金属塩を同表に示す濃度になるよう添加することで試料水の量を１ｍＬに調整した。そして、この試料水を３７℃のウォーターバス中でプレインキュベートした。
【００５４】
次に、プレインキュベートした試料水について、実験例Ｄ１のプレインキュベート後と同様の処理をし、菌数を測定した。菌数の対数減少値を表４および図４に示す。
【００５５】
（実験例Ｄ４，Ｄ５）
実験例Ｄ１で用いたものと同じ蒸留水を試料水とし、この試料水へ表４に示すアルカリ金属塩のみを同表に示す濃度になるよう添加することで試料水の量を１ｍＬに調整した。そして、この試料水を３７℃のウォーターバス中でプレインキュベートした。
【００５６】
次に、プレインキュベートした試料水について実験例Ｄ１のプレインキュベート後と同様の処理をし、菌数を測定した。菌数の対数減少値を表４および図４に示す。
【００５７】
【表４】
0005927803.tif 000005
【００５８】
実験例Ｅ
（実験例Ｅ１）
蒸留水にリン酸モノドデシルナトリウムを溶解し、リン酸モノドデシルナトリウム濃度を０．３ｗ／ｖ％に調整した界面活性剤水溶液を調製した。そして、調製した界面活性剤水溶液の１ｍＬを試料水として分取し、これを３７℃のウォーターバス中でプレインキュベートした。
【００５９】
次に、プレインキュベートした試料水に黄色ブドウ球菌（Staphylococcus aureus NBRC13276）を菌数が１．４Ｅ＋０８ＣＦＵ／ｍＬになるよう添加して１０秒間接触させた後、試料水の一部を１００μＬ分取した。そして、分取した試料水を日本製薬株式会社製のＳＣＤＬＰ培地へ添加して界面活性剤を不活化した後に適宜希釈し、この希釈された試料水について、日本製薬株式会社製のＳＣＤＬＰ寒天培地を用いた塗抹法により３６℃で２４時間経過後の菌数を測定した。菌数の対数減少値を表５および図５に示す。
【００６０】
（実験例Ｅ２〜Ｅ５）
実験例Ｅ１で調製した界面活性剤水溶液の一部を試料水として採取し、この試料水へ表５に示すアルカリ金属塩を同表に示す濃度になるよう添加することで試料水の量を１ｍＬに調整した。そして、この試料水を３７℃のウォーターバス中でプレインキュベートした。
【００６１】
次に、プレインキュベートした試料水について、実験例Ｅ１のプレインキュベート後と同様の処理をし、菌数を測定した。菌数の対数減少値を表５および図５に示す。
【００６２】
（実験例Ｅ６〜Ｅ９）
実験例Ｅ１で用いたものと同じ蒸留水を試料水とし、この試料水へ表５に示すアルカリ金属塩のみを同表に示す濃度になるよう添加することで試料水の量を１ｍＬに調整した。そして、この試料水を３７℃のウォーターバス中でプレインキュベートした。
【００６３】
次に、プレインキュベートした試料水について実験例Ｅ１のプレインキュベート後と同様の処理をし、菌数を測定した。菌数の対数減少値を表５および図５に示す。
【００６４】
【表５】
0005927803.tif 000006
【図１】
0005927803.tif 000007
【図２】
0005927803.tif 000008
【図３】
0005927803.tif 000009
【図４】
0005927803.tif 000010
【図５】
0005927803.tif 000011